(57)【要約】【課題】簡素かつ信頼性の高い構造で、ピストン復帰時、車両安定性制御等の自動ブレーキ制御時とも圧力室に対するブレーキ液の良好な吸い込み性を確保したカップ内径摺動型マスタシリンダを提供する。【解決手段】  プライマリカップ１３、１５の背後に、シリンダボディ１と一体的に構成された環状壁１７、１８を設け、その環状壁１７、１８の内径をシリンダの内径よりも大きくして当該環状壁とプライマリピストン２及びセカンダリピストン５との間に環状通路１９、２０を形成し、さらに、環状壁１７、１８の後部に、ピストン２、５との間の隙間が環状通路１９、２０よりも大きいリザーバ１０との連通路２３、３０を設け、非作動時にピストンポート８、９が環状通路１９、２０を介してリザーバ１０に連通するようにした。【選択図】図１
2008247390.tif 000002
【特許請求の範囲】
【請求項１】
ピストンがシリンダボディに保持されたカップの内周で摺動して圧力室のブレーキ液を加圧するタイプのマスタシリンダにおいて、
前記ピストンとして外径が長手方向の各部において均一なピストンを設け、さらに、
前記プライマリカップの背後に、内径が前記シリンダボディの内径よりも大きい環状壁を前記シリンダボディと一体的に構成して設け、
前記環状壁と前記ピストンとの間に環状通路を形成し、
前記環状壁の後部に、前記ピストンとの間の隙間が前記環状通路よりも大きいリザーバとの連通路を設けたことを特徴とするマスタシリンダ。
【請求項２】
前記環状壁を、内周側から半径方向外方に向かって肉厚にしたことを特徴とする請求項１に記載のマスタシリンダ。
【請求項３】
前記環状壁の内周側の前部コーナ、後部コーナ又は前後部の各コーナに小半径のＲ面取り部を設けたことを特徴とする請求項１又は２に記載のマスタシリンダ。
【請求項４】
前記プライマリカップの前方と前記環状壁の後方とにおいて、ピストンがシリンダボディの内径で摺動案内されていることを特徴とする請求項１乃至３のいずれかに記載のマスタシリンダ。
【請求項５】
非作動時に前記圧力室を前記連通路に連通させるピストンポートを前記環状壁の近傍に配置したことを特徴とする請求項１乃至４のいずれかに記載のマスタシリンダ。
【請求項６】
前記ピストンが前記シリンダボディに摺動案内され、前記プライマリカップはシリンダ内周面に設けたカップ収納溝に収納されており、そのプライマリカップの前方のシリンダ内周面に、前記カップ収納溝を前記圧力室に連通させる前記環状通路と同等又はそれ以上の通路面積を有する複数の軸方向の溝を設けたことを特徴とする請求項１乃至５のいずれかに記載のマスタシリンダ。
【請求項７】
前記複数の軸方向の溝が、断面円弧状の溝であることを特徴とする請求項６に記載のマスタシリンダ。
【発明の詳細な説明】
【技術分野】
【０００１】
この発明は、車両の液圧ブレーキ装置に採用するマスタシリンダ、中でも、ピストンがシリンダボディに保持されたカップの内周で摺動して圧力室のブレーキ液を加圧するタイプのマスタシリンダ（以下これをカップ内径摺動型マスタシリンダと言う）に関する。
【背景技術】
【０００２】
近年の車両用液圧ブレーキ装置は、運転者がブレーキ操作を行っていないときに電子制御装置の判断で車両安定性制御等の自動ブレーキ制御を行うものが増えてきた。
【０００３】
この種の液圧ブレーキ装置に採用するカップ内径摺動型マスタシリンダの従来技術として、例えば下記特許文献１に示されるものがある。
【特許文献１】特開２０００−７１９６９号公報
【０００４】
この特許文献１に記載されたマスタシリンダは、ピストンの外周に配置したプライマリカップとこのプライマリカップの後部に設けるガイドとの間にスペーサを配置し、このスペーサの裏側に設けた溝を通してリザーバから圧力室にブレーキ液を供給する構造にしている。
【０００５】
自動ブレーキ制御対応のカップ内径摺動型マスタシリンダは、前進したピストンが復帰する際のリザーバから圧力室へのブレーキ液の良好な吸い込み性だけでなく、自動ブレーキ制御が実行されたときのリザーバから圧力室へのブレーキ液の良好な吸い込み性も確保することが要求される。
【０００６】
特許文献１のマスタシリンダは、その要求に応え、同時に操作フィーリングも改善するために肉薄の上述したスペーサを設け、運転者によるブレーキ操作がなされていない非作動時、すなわち、ピストンが初期位置にあるときに圧力室をリザーバに連通させるピストンポートをプライマリカップに近づけることを可能ならしめている。
【０００７】
なお、リザーバからのブレーキ液は、ピストン復帰時にはカップを変形させてカップの周囲を通って圧力室に吸い込まれ、自動ブレーキ制御実行時には、ピストンポート（ピストンに設けたポート）を通って圧力室に吸い込まれる。
【発明の開示】
【発明が解決しようとする課題】
【０００８】
上述した特許文献１のマスタシリンダは、液圧を受けたプライマリカップからスペーサが圧力を受け、このスペーサに大きな応力が発生する。そのために、スペーサが疲労破壊を起こす不具合が懸念された。
【０００９】
また、自動ブレーキ制御実行時の圧力室に対するリザーバからのブレーキ液の吸い込み性をより高めようとするとスペーサの背面をピストンポートにさらに近づける必要があり、このためにはスペーサをより肉薄にしなければならないが、スペーサは裏側に溝を設けている関係で複数の突条によって支持されるため強度上の問題からその要求に応えるのも困難であった。
【００１０】
さらに、スペーサとシリンダボディとの間およびスペーサとピストンとの間には、径方向の隙間があるため、スペーサがシリンダボディに対して偏芯し、上記隙間からのブレーキ液の流通が不均一であった。このため、ピストン復帰時のプライマリカップ前方へのブレーキ液の流通が阻害されることがあり、非作動時のスペーサ内径からのピストンポートを介しての圧力室へのブレーキ液供給も十分でないといった不具合があった。
【００１１】
また、スペーサの偏芯によって、スペーサとシリンダボディとの間の隙間およびスペーサとピストンとの間の隙間が部分的に大きくなる箇所が発生し、この部分的に大きくなった隙間に液圧を受けたプライマリカップが食い込んで損傷する虞があった。
【００１２】
さらに、スペーサとガイドを組み込む構造であることから、シリンダボディとは別にカバーを設けてスペーサ及びガイド組付け後にカバーをねじ込む必要があり、構造の複雑化、組付け工数増加の問題もあった。
【００１３】
この発明は、カップ内径摺動型マスタシリンダに見られる上記の問題点を無くすこと、すなわち、簡素かつ信頼性の高い構造で、ピストン復帰時、自動ブレーキ制御時とも圧力室に対するブレーキ液の良好な吸い込み性を確保することを課題としている。
【課題を解決するための手段】
【００１４】
上記の課題を解決するため、この発明においては、ピストンがシリンダボディに保持されたカップの内周で摺動して圧力室のブレーキ液を加圧するタイプのマスタシリンダにおいて、
前記ピストンとして外径が長手方向の各部において均一なピストンを設け、さらに、
前記プライマリカップの背後に、内径が前記シリンダボディの内径よりも大きい環状壁を前記シリンダボディと一体的に構成して設け、
前記環状壁と前記ピストンとの間に環状通路を形成し、
前記環状壁の後部に、前記ピストンとの間の隙間が前記環状通路よりも大きいリザーバとの連通路を設けた。
【００１５】
なお、このマスタシリンダは、以下に列挙する構成を付加するとより好ましいものになる。
１）前記環状壁を、内周側から半径方向外方に向かって肉厚にする。
２）前記環状壁の内周側の前部コーナ、後部コーナ又は前後部の各コーナに小半径のＲ面取り部を設ける。
３）前記プライマリカップの前方と前記環状壁の後方とにおいて、ピストンがシリンダボディの内径で摺動案内されるようにする。
４）前記ピストンが初期位置にあるときに前記圧力室を前記連通路に連通させるピストンポートを前記環状壁の近傍に配置する。
５）プライマリカップの前方のピストンを摺動案内するシリンダ内周面に、前記カップ収納溝を前記圧力室に連通させる前記環状通路と同等又はそれ以上の通路面積を有する複数の軸方向の溝を設ける。
６）前記複数の軸方向の溝を、断面円弧状の溝にする。
【００１６】
ここで言うピストンは、タンデムマスタシリンダについては、プライマリピストン、セカンダリピストンの双方を指す。
【発明の効果】
【００１７】
この発明においては、プライマリカップから圧力を受ける環状壁をシリンダボディと一体的に構成したので、その環状壁の強度を十分に確保でき、強度面での信頼性が高まる。
【００１８】
また、環状壁とピストンとの間に環状通路を形成したので、カップの周囲を通って圧力室に吸い込まれるブレーキ液、ピストンポートを通って圧力室に吸い込まれるブレーキ液の流動性を共に高めることができ、ピストン復帰時、自動ブレーキ制御時とも圧力室へのブレーキ液の良好な吸い込み性を確保できる。
【００１９】
さらに、要求される機能を部品数の少ない簡単な構造で確保しているため、加工、組み立てが容易で生産性も極めて高い。
【００２０】
なお、前記環状壁を内周側から半径方向外方に向かって肉厚にしたものは、環状通路の拡大効果によりピストンポートとの良好な連通性を確保して環状壁の強度をより一層高めることができる。
【００２１】
また、環状壁の内周側の前部コーナに小半径の面取り部を設けたものは、コーナのエッジがカップに食い込む心配がなく、プライマリカップの損傷が起こり難い。また、この環状壁の内周側の後部コーナに小半径の面取り部を設けたものは、前述の環状通路の拡大効果がより増強される。
【００２２】
プライマリカップの前方と環状壁の後方とにおいて、ピストンがシリンダボディの内径で摺動案内されているものは、環状壁とピストンとの同軸が精度よく保たれ、ブレーキ液の円滑な流通が確保されるとともにプライマリカップの損傷が防止される。
【００２３】
さらに、プライマリカップの前方のシリンダボディ内周に圧力室に連通する複数の軸方向の溝を設けたものは、その溝によって環状壁とピストン間の環状通路に相当するブレーキ液流路が形成され、カップを撓ませて圧力室に至るブレーキ液がスムーズに流れてピストンの復帰作動が円滑になされる。
【００２４】
このほか、前記複数の軸方向の溝を、円弧断面の溝にしたものは、回転工具などでその溝を簡単に加工することができる。
【発明を実施するための最良の形態】
【００２５】
以下、この発明のマスタシリンダの実施形態を図１乃至図３に基づいて説明する。図中１はシリンダボディ、２はシリンダボディ１に摺動案内されるプライマリピストン、３は内部のブレーキ液をプライマリピストン２で加圧してブレーキ液圧を発生させる第１圧力室、４はプライマリピストン２の復帰スプリング、５はプライマリピストン２の前方に配置したセカンダリピストン（これもシリンダボディ１に摺動案内される）、６は内部のブレーキ液をセカンダリピストン５で加圧してブレーキ液圧を発生させる第２圧力室、７はセカンダリピストン５の復帰スプリング、８はプライマリピストン２に設けたピストンポート、９はセカンダリピストン５に設けたピストンポート、１０はリザーバ、１１は第１圧力室３の出力ポート、１２は第２圧力室６の出力ポートである。ピストンポート８、９は、周方向に適当な間隔をあけてそれぞれ複数設けられている。
【００２６】
シリンダボディ１の内部には、プライマリピストン２の外周をシールするプライマリカップ１３、プライマリピストン２の外周においてシリンダと大気間を遮断するセカンダリカップ１４、セカンダリピストン５の外周をシールするプライマリカップ１５、及びセカンダリピストン５の外周において第１圧力室３とリザーバ１０との間を遮断するプレッシャカップ１６を配置している。
【００２７】
プライマリカップ１３、１５、セカンダリカップ１４、プレッシャカップ１６は、いずれもシリンダボディ１の内周に環状のカップ収納溝を設けてそのカップ収納溝の中に組み込んでいる。また、各プライマリカップ１３、１５の背後（図中右側）に、プライマリカップ１３、１５を個別に受け支える環状壁１７、１８をシリンダボディ１と一体に形成して設けている。
【００２８】
その環状壁１７、１８の内径をシリンダの内径よりも大きくして図３に示すように環状壁１７とプライマリピストン２との間及び環状壁１８とセカンダリピストン５との間にそれぞれ環状通路１９、２０を形成し、さらに、環状壁１７、１８の内周側に、内周側の前部コーナと後部コーナのエッジを無くす小半径のＲ面取りを施している。コーナに形成された面取り部を図３に符号２１で示す。
【００２９】
環状壁１７の後部にはプライマリピストン２との間の隙間が環状通路１９よりも大きい環状の連通路３０を、また、環状壁１８の後部にはセカンダリピストン５との間の隙間が環状通路２０よりも大きい環状の連通路２３をそれぞれ設けており、これらの連通路３０、２３とシリンダボディ１に別途設けた連通路２２、２４、２５を経由して各環状通路１９、２０がリザーバ１０に通じている。
【００３０】
さらに、ピストンポート８は環状壁１７の直下近傍に、また、ピストンポート９は環状壁１８の直下近傍に各々配置して（いずれも、マスタシリンダが非作動状態にあるとき）いる。
【００３１】
環状壁１７、１８は、図３に示す背面１７ａ、１８ａを斜面にして内周側から半径方向外方に向かって肉厚になる構造にしており、これにより、環状通路１９、２０の入口側（リザーバ１０に近い側）の通路面積が拡大されてプライマリピストン２及びセカンダリピストン５との間にブレーキ液が流動し易い流路が形成され、また、環状壁１７、１８の強度も高まって各環状壁１７、１８が高い圧力に耐えるものになっている。プライマリピストン２は、摺動案内部４０、４１によって摺動案内されており、セカンダリピストン５は、摺動案内部４２、４３によって摺動案内されている。なお、本実施形態においては、プレッシャカップ１６の後方のシリンダボディ１は、摺動案内部となっていないが、プライマリカップ１３、１５の前方部と同様に摺動案内部としてもよい。
【００３２】
プライマリカップ１３、１５の前方のシリンダ内周面には、プライマリカップ１３を収納した溝を第１圧力室３に、また、プライマリカップ１５を収納した溝を第２圧力室６に各々連通させる軸方向の複数の断面円弧状の溝２６、２７を設けている。図２に溝２６の断面形状を示す。溝２７もこの溝２６と同様の形状になっている。
【００３３】
この溝２６、２７は、どちらも通路面積（総面積）を環状通路１９、２０の通路面積とほぼ等しいか又はそれ以上にしており、環状通路１９、２０を通過したブレーキ液を第１、第２圧力室３、６にスムーズに流動させることができる。
【００３４】
なお、環状通路１９、２０の大きさ（ピストンと環状壁との間のクリアランス寸法）は、マスタシリンダの耐久性と作動特性面から０．２ｍｍ〜０．４ｍｍ程度にするのが好ましい。
【００３５】
以上の如く構成した例示のマスタシリンダは、運転者による制動の解除などに伴い、プライマリピストン２とセカンダリピストン５が前進した位置から急速に戻される急戻し行程では、第１圧力室３と第２圧力室６が負圧になるため、プライマリカップ１３、１５の内周側が前面と背面に受ける圧力の差で変形し、リザーバ１０からのブレーキ液が環状通路１９、２０からプライマリカップ１３、１５の内側を通り、さらに溝２６、２７を通って第１圧力室３及び第２圧力室６にスムーズに吸い込まれる。このため、プライマリピストン２とセカンダリピストン５が円滑に復帰作動し、ブレーキの解除や急な緩めに対する応答性が良好なものになる。
【００３６】
一方、マスタシリンダ非作動時に車両安定性制御などの自動ブレーキ制御が実行されて出力ポート１１、１２につながる液圧系からブレーキ液を要求された場合には、連通路３０、２３を通ったブレーキ液が、環状壁１７、１８の背面１７ａ、１８ａを傾斜させたことによって入口側が拡大している環状通路１９、２０に流れ、その環状通路１９、２０に開口しているピストンポート８、９を通り、第１圧力室３経由及び第２圧力室６経由で液圧系にスムーズに供給される。従って、自動ブレーキ制御の応答性も良好なものになる。
【００３７】
このほか、環状壁１７、１８を内周側から半径方向外方に向かって肉厚にしているので、ピストンポート８、９との良好な連通性を確保するのと同時に各環状壁１７、１８の強度も十分に確保することができる。
【００３８】
また、環状壁の内周側の前部コーナと後部コーナに小半径のＲ面取りを施しているので、プライマリカップの損傷防止効果や環状通路の拡大効果も得られる。
【００３９】
さらに、溝２６、２７を断面円弧状の溝にしているため、その溝２６、２７を回転工具などで容易に加工することができる。
【００４０】
このほか、要求される機能を部品数の少ない簡単な構造で確保しており、加工、組み立てが容易で生産性にも優れる。
【図面の簡単な説明】
【００４１】
【図１】この発明のマスタシリンダの一例を示す断面図
【図２】図１のII−II線部の断面図
【図３】図１の要部を拡大して示す図
【符号の説明】
【００４２】
１          シリンダボディ
２          プライマリピストン
３          第１圧力室
４、７      復帰スプリング
５          セカンダリピストン
６          第２圧力室
８、９      ピストンポート
１０        リザーバ
１１、１２  出力ポート
１３、１５  プライマリカップ
１４        セカンダリカップ
１６        プレッシャカップ
１７、１８  環状壁
１９、２０  環状通路
２１        面取り部
２２〜２５、３０  連通路
２６、２７  溝
４０〜４３  ピストン摺動案内部
【図１】
2008247390.tif 000003
【図２】
2008247390.tif 000004
【図３】
2008247390.tif 000005